(57)【要約】【課題】仰臥して睡眠や休憩をとる場合の胸部前すぼみ体形と胸椎の屈曲および腰椎の屈曲を防止できる枕を提供すること。【解決手段】断面が概略台形の棒状の背骨台によって背骨を適正な高さに保持すること、断面が概略山形の棒状の体側保持部を、背骨台の両側に設けて体を両側から斜め上方向に支持すること、及び背骨台の頭側に、首部ないし後頭部の下部形状に応じた凹面溝を有する首枕部を設けたこと並びに上記各部材の相対位置がずれないようにしたことを特徴とする。【選択図】  図１
2004187814.tif 000002
【特許請求の範囲】
【請求項１】
断面が概略台形の棒状の部材であって、その上に仰臥したとき胸椎と頚椎が同程度の高さとなるように胸部を背骨に沿って載置する長手方向の平滑状載置面を設けると共に、腰椎に対応する部分の高さを漸減させて腹部を背骨に沿って載置する長手方向の傾斜状載置面を設けた背骨台を備えたことを特徴とする胸枕。
【請求項２】
断面が概略山形の棒状部材で山形の傾斜面に体側部の形状に応じた凹みをもたせて、肩甲骨近傍をのぞく体側部を両側から支持するようにした体側保持部を前記背骨台の両脇に設けてなる請求項１記載の胸枕。
【請求項３】
前記背骨台の頭側に続く部材として、仰臥して顎を上げた時、寝具面と人体肩部、首部、後頭部との間にできる空間を閉塞するようにし、かつ首部と後頭部の下部形状に応じた凹面の溝を有する首枕部を設けた請求項１又は２の胸枕。
【請求項４】
請求項１の背骨台と請求項２の体側保持部と請求項３の首枕部の全部または一部をベース板に固定してなる胸枕。
【請求項５】
請求項１の背骨台と請求項２の体側保持部と請求項３の首枕部の全部または一部を一体成形してなる胸枕。
【請求項６】
水平面からの角度が一定もしくは角度可変の背もたれ式に構成した請求項４又は５の胸枕。
【発明の詳細な説明】
【０００１】
【発明の属する技術分野】
本発明は寝姿勢で睡眠や休憩をとるとき胸部中央および腹部を、背骨が屈曲しない高さに保持して呼吸作用の抵抗をなくすと共に頭痛、肩こり、腰痛等を防止する胸枕に関する。
【０００２】
【従来の技術】
従来から肩こり等を防止することを目的として多種の枕が提案されてきた。多くは頭を乗せる部分と首部を支える部分に工夫してあり、首部から背中に至る湾曲部を支持するように傾斜部を設けた枕もある。従来の枕は頭を載せることを主目的としており、内臓活動を行う胸部、腹部の姿勢最適化を主眼としたものは少ない。例外として、頭を乗せる枕の中央側面に突出部分を設け、仰臥時に脊柱を突出部に乗せることにより肩と胸を張り脊柱を伸ばし、人体機能の正常化を図るものとして「脊柱枕」（特許文献３）があるが睡眠中に突出部分が移動乃至不安定になりやすい問題があった。また寝姿勢の人体と寝具面との隙間を埋めるためにクッション性の補整台を組み合わせて体位の安定を図る「体位安定補整枕」（特許文献４）も提案されている。従来提案されている枕は単体又は組合せで用いるが、部材の位置が固定されていないため睡眠中に適正位置から外れやすいこと、一旦外れると睡眠途中で複数の部材を適正な位置に戻すのが非常に煩わしいという問題があった。
【０００３】
【特許文献１】
特開平１０−１１７９１６号公報（姿勢調整寝具  図１）
【特許文献２】
実開平７−１７１６５号公報（枕構造  図４、図５（ｂ））
【特許文献３】
実開平６−３１７１３号公報（せきちゅう（脊柱）まくら）
【特許文献４】
特開２００１−１１２５９９号公報（体位安定補整枕）
【０００４】
【発明が解決しようとする課題】
敷布団やベッドに仰臥した時の胸部に注目すると背骨のある胸中央部が寝具面に沈み込む一方、胸の体側部が寝具面から幾分押し上げられる結果、前にすぼんだ体形になり呼吸作用が妨げられる。また従来の枕を用いると頭部、頚部が枕の高さに保持される結果、頚椎から胸椎に至る背骨が屈曲して鼻や口から肺に至る気道の通りを悪くしてしまう。これによって肩こりや頭痛などの症状が出る問題がある。
【０００５】
上記症状の程度はその人の体格、体質に大きく左右され、適度に肉付きがあり身長と体重のバランスがよい場合は、胸部の厚みがあるので、前すぼみの変形や背骨の屈曲が生じにくい。前すぼみ変形や背骨の屈曲が生じやすい痩せ型でも、それなりに筋肉が発達している人は症状が出ないこともある。
【０００６】
しかし痩せ型で筋肉が弱い場合、胸部の厚みがなく、板状であるから前すぼみの悪影響が顕著になる。加えて胸部背中の肉付不足は頚椎と胸椎の高低差を大きくするから胸椎屈曲がひどく、首や肩のこり、頭痛及び内臓活動の低下をもたらす。
【０００７】
一方腹から臀部にかけての背骨（腰椎）でも痩せ型の場合は腹部から一定の高さにある臀部に至る部分で屈曲が生じるので、睡眠を十分とっても腰痛や内臓衰弱といった症状が出やすい。
【０００８】
本発明の目的は、従来の枕では防ぐことが出来なかった上記問題に対処する為、痩せ型であって筋肉が弱い人でも睡眠中に十分疲労回復でき、装着及び位置合わせが容易な胸枕を提供することである。
【０００９】
【課題を解決するための手段】
上記の目的を達成するため、請求項１の発明に係る胸枕は断面が概略台形の棒状の部材であって、その上に仰臥したとき胸椎と頚椎が同程度の高さとなるように胸部を背骨に沿って載置する長手方向の平滑状載置面を設けると共に、腰椎に対応する部分の高さを漸減させて腹部を背骨に沿って載置する長手方向の傾斜状載置面を設けた背骨台を備えたことを特徴とするものである。
【００１０】
また請求項２の発明に係る胸枕は請求項１の発明において、断面が概略山形の棒状部材で山形の傾斜面に体側部の形状に応じた凹みをもたせて、肩甲骨近傍をのぞく体側部を両側から支持するようにした体側保持部を前記背骨台の両脇に設けた構成にある。
【００１１】
また請求項３の発明は、前記背骨台の頭側に続く部材として、仰臥して顎を上げた時、寝具面と人体肩部、首部、後頭部との間にできる空間を閉塞するようにし、かつ首部と後頭部の下部形状に応じた凹面の溝を有する首枕部を設けた構成にある。
【００１２】
また請求項４の発明は、請求項１の背骨台と請求項２の体側保持部と請求項３の首枕部の全部または一部をベース板に固定した構成にある。
【００１３】
また請求項５の発明は、請求項１の背骨台と請求項２の体側保持部と請求項３の首枕部の全部または一部を一体成形した構成にある。
【００１４】
また請求項６の発明は、請求項４又は５の胸枕を水平面からの角度が一定もしくは角度可変の背もたれ式に構成したものである。
【００１５】
【作用】
上記のように構成される、本発明に係る胸枕を用いて仰臥すると前記背骨台の平滑状載置面によって胸部背骨付近が一定の高さに保持されると共に、肩甲骨付近が自重により下がって胸を開き気味にするので呼吸活動が深く、活発になる。
【００１６】
また背骨台の腰椎に対応する部分は高さを漸減させてあり、仰臥する時の背骨の当りを円滑にすると共に、腹部背骨付近を傾斜状載置面で支持して腹式呼吸や消化作用を活発にする。
【００１７】
背骨台の両脇に位置する前記体側保持部は肩甲骨付近を除く体側部を体中心に向い斜め上方向に支えることで、やせている人でも幾分丸みを持った体形にして腹式呼吸と消化作用を助けると共に、腹部背骨の位置を幾分高くして腹部から臀部に至る腰椎の屈曲を防止する。さらに体側保持部の存在は腕を体から離れさせて胸部のリラックスを促進する。また体側保持部は睡眠中、ある程度の体の動きに対しては背骨が背骨台から外れないようにする。
【００１８】
背骨台の頭側に続く首枕部は、背骨台の上に仰臥して顎を上げた時、寝具面と人体肩部、首部、後頭部との間にできる空間を閉塞するように形成してあるので、気道がストレートに確保され呼吸抵抗を減少させる。首枕部には人体首部ないし後頭部の下面形状に応じた凹形の溝を設けてあり、頭部体重がこの溝に沿って支持される結果、睡眠中の動きによって自律神経系の要所である後頭部が適度に刺激される。
【００１９】
【発明の実施の形態】
以下この発明に係る胸枕の実施の形態につき、添付図面に基づいて説明する。
【００２０】
【実施例１】
図１は本発明による胸枕の第１の実施例を示す斜視図であり、ベース板（１）の上に背骨台（１０）、体側保持部（２１）、（２２）、首枕部Ａ（３１）、首枕部Ｂ  （３２）を配置する。背骨が背骨台に載るように仰臥し、頭を首枕部Ｂ  （３２）に合うようにして仰臥した後、体を浮かせるようにして位置合わせハンドル（２）で  当り具合を調節する。
【００２１】
ベース板には体重がかかるので寝具上でたわむ必要があり可とう性を有する樹脂板がよい。例としては住友化学工業（株）の「サンプライ」（登録商標）が好適である。
【００２２】
図２（ａ）は背骨台（１０）の斜視図で、胸部支持面（１１）（請求項１の平滑状載置面）と傾斜をもつ腹部支持面（１２）  （請求項１の傾斜状載置面）と背骨台側面（１３）から成る。なお胸部支持面（１１）に若干の傾斜をつけてもよい。背骨台側面（１３）は寝具面と肩甲骨の間を閉塞するように滑らかに傾斜させる。
【００２３】
図２（ｂ）はＡ−Ａ線での背骨台の断面図で、胸部支持面（１１）の高さ（１４）は痩せ型用の一例としては７５ｍｍ程度がよい。断面を図２（ｂ）のように概略台形にして胸部体重を支えることにより違和感なく仰臥することができる。背骨台の材料は体重に耐えうる固さと、体に接する時若干変形する柔らかさが必要である。これに適した材料として例えばザ・ダウ・ケミカル・カンパニーの「スタイロフォーム」（登録商標）が好適である。
【００２４】
図３は図１のＢ−Ｂ線から見た体側保持部の斜視図である。体側保持部（左）（２１）、体側保持部（右）（２２）は腹部の体側を支えるので、体側形状に順応する必要があり材料としては例えば「低反発ウレタンフォーム」が好適である。背骨台（１０）は傾斜状載置面である腹部支持面（１２）で腹部背骨を支持する。
【００２５】
図４は首枕部（３１），（３２）の凹面（３３）に沿った縦断面をハッチングで示し、人体首部の接触状態を二点鎖線で、背骨台（１０）を点線で表した立面図である。本発明では「頭を載せる枕」という概念はなく、疲労回復のために呼吸抵抗を出来る限り減らす体形を作るのが目的である。このため呼吸停止した救急患者に人工呼吸を行う場合に好ましいとされている体形を利用して、鼻から肺に至る気道をまっすぐに作り、睡眠中に疲労を完全に回復するようにした。首枕部では頭の上部は支えず寝具面に接する程度とし、頭の重量を首枕部の凹面（３３）で支えるようにしてある。首枕部の凹面（３３）は睡眠中、自然な動きによって自律神経系の要所である後頭部を適度に刺激することになる。首枕部の材料は例えばザ・ダウ・ケミカル・カンパニーの「スタイロフォーム」（登録商標）が好適である。
【００２６】
図５は従来の枕を用いて仰臥した状態を、分かりやすくするために肉付きが非常に悪い人の例で、胸部と腹部に背骨の不自然な屈曲が生じる様子を示したものである。胸椎の屈曲（７２ａ）は頚椎と胸椎の高低差が大きいと顕著になる。腰椎の屈曲（７４ａ）は腹部腰椎と臀部背骨の高低差が大きいと顕著になる。
【００２７】
また図６は痩せ型の人が仰臥した時に胸が前すぼみになることを示す胸部断面図である。痩せている人は胸部（７１）が薄く、胸椎（７２）のある中心部が沈む一方体側部が上がるため前すぼみになる。これでは自然な呼吸が出来ず、肺呼吸の大きな抵抗となる。図７は胸部における背骨台（１０）の働きを示す胸部断面図で、胸椎（７２）を一定の高さに保持することにより前すぼみ姿勢を防止する。
【００２８】
図８は痩せ型の人が仰臥した時、腹部背骨、腰椎（７４）が低い位置にあること及び腹部（７３）の厚みが少ないことを示す図である。この状態では腰椎は臀部背骨と高低差が大きい。図９は腹部（７３）における背骨台（１０）と体側保持部  （２１）、（２２）の働きを示す腹部断面図である。背骨台と体側保持部によって腹部が幾分丸みをもって若干高い位置に保持されるので腰椎の不自然な屈曲を防ぐことができ内臓が活動しやすくなる。また腕（７５）の位置が体から離されることで胸部のストレスが緩和される。
【００２９】
図１０は首枕部（３０）、背骨台（１０）と体側保持部（２０）によって背骨の屈曲がなくなった状態を示す図で（７２ｂ）は屈曲がない胸椎、（７４ｂ）は屈曲がない腰椎を示す。
【００３０】
次に各部材をベース板に固定する方法について例示する。図１１は、予めベース板（１）及び背骨台側面（１３）に穴を設けておき、クラレ（株）のマジックテープ（登録商標）のような面ファスナー（１８）を付けたベルト（１７）を用いて背骨台（１０）とベース板（１）を巻くように縛って固定する方法である。ベース板の貫通穴を少しずつずらして複数設けておくことにより位置調節ができる。この方法は首枕部（３０）の固定にも利用できる。
【００３１】
図１２は、面ファスナー（１８）を付けたベルト（１７）を布袋（２１ａ）に縫い付けておき体側保持部（２１）を布袋に収納したのち、ベース板穴（３）にベルトを通して固定する方法である。
【００３２】
【実施例２】
以上、第１の実施例ではベース版を用いて基本的な胸枕を構成したが、図１３は第２の実施例としてベース板を用いず背骨台（１０）、体側保持部  （２１）、  （２２）および首枕部（３０）を一体成形した請求項５の胸枕を示す斜視図である。強度を得るため各部材間の接続断面を十分大きくし、ちぎれにくい材料を用いて一体成形することができる。また軽症用もしくは携帯用として首枕部の代わりに従来型枕を使用することとし、背骨台と体側保持部だけを一体成形してもよい。
【００３３】
【実施例３】
図１４は本発明の第３の実施例として、請求項６の背もたれ式の胸枕を示す図である。断面が略三角形の部材に首枕部の凹部（３３）、肩甲骨付近が下がるための凹部（４０）を設けると共に背骨台（１０）、体側保持部（２１）、（２２）を形成して背もたれ姿勢において疲労回復を図る胸枕であり、テレビを見る時や読書する時にも好ましい呼吸姿勢を提供するものである。
【００３４】
【発明の効果】
以上説明したように、本発明に係る胸枕を用いると背骨を適正な高さに保持することによって胸を開き気味にし、鼻から肺に至る気道の抵抗を少なくすることで、深くゆっくり呼吸でき、疲れがとれて気持ちよく目覚めることができる。また寝姿勢における腰椎のストレスをなくしギックリ腰などを防止できる。本発明は痩せ型で筋力の発達しにくい人を対象に考察したが、そうでない人も高齢期になると筋力が衰えて肩こり、頭痛などに悩まされることが多い。また女性の場合はプロポーションを良くするために意図的に体重を減らす人も多く、同様の症状に悩まされる。子供は成長期に身体発達上のアンバランスも出やすい時期であるため、頭痛や乗物酔いなどを起こしやすく、育成上の障害にもなりかねない。働き盛りの年代においては肉体的疲労、精神的ストレスが非常に大きく前記諸症状に困る人が多い。このように日常よく見られる諸症状の改善のために睡眠中の疲労回復を徹底することは重要であって、病院の検査結果で異常がないのに前記諸症状が残る場合等、本発明による胸枕で睡眠中の姿勢改善を行えば、体力気力を回復し症状を改善できる。また副次的な効果として猫背やなで肩も筋肉力が不足している為であるから、本発明の胸枕によって筋肉疲労が解消される結果、昼間の立姿勢を改善できる。
【００３５】
【図面の簡単な説明】
【図１】本発明の胸枕の斜視図である。（実施例１）
【図２】背骨台の斜視図およびＡ−Ａ線の断面図である。
【図３】体側保持部を図１のＢ−Ｂ線から見た斜視図である。
【図４】首枕部の縦断面図（ハッチング部）および首枕部の凹面に接する人体外形（二点鎖線）を示す図である。
【図５】仰臥位における背骨の問題箇所を示す図である。
【図６】痩せ型の人が仰臥した時、胸が前すぼみになることを示す断面図である。
【図７】胸部における背骨台の働きを示す断面図である。
【図８】痩せ型の人が仰臥した時、腹部背骨が低い位置にあることを示す断面図である。
【図９】腹部における背骨台と体側保持部の働きを示す断面図である。
【図１０】背骨台、体側保持部と首枕部により背骨の屈曲がなくなることを示す図である。
【図１１】部材を、面ファスナー付ベルトで固定する例を示す斜視図である。
【図１２】部材を、面ファスナー付ベルトを有する布袋に入れて固定する例を示す斜視図である。
【図１３】一体成形による胸枕の構成例を示す斜視図である。（実施例２）
【図１４】背もたれ式の胸枕を示す斜視図である。（実施例３）
【符号の説明】
１：ベース板
２：位置合わせハンドル
３：ベース板の穴
１０：背骨台
１１：胸部支持面
１２：腹部支持面
１３：背骨台側面
１４：胸部支持面の高さ
１６：背骨台の穴
１７：ベルト
１８：面ファスナー
２０：体側保持部
２１：体側保持部（左）
２１ａ：布袋（体側保持部（左）用）
２２：体側保持部（右）
３０：首枕部
３１：首枕部Ａ
３２：首枕部Ｂ
３３：首枕部の凹面
４０：肩甲骨付近が下がる凹部
５０：寝具面
６０：従来型枕
７０：人体
７１：胸部
７２：胸椎
７２ａ：胸椎の屈曲
７２ｂ：屈曲がない胸椎
７３：腹部
７４：腰椎
７４ａ：腰椎の屈曲
７４ｂ：屈曲がない腰椎
７５：腕
【図１】
2004187814.tif 000003
【図２】
2004187814.tif 000004
【図３】
2004187814.tif 000005
【図４】
2004187814.tif 000006
【図５】
2004187814.tif 000007
【図６】
2004187814.tif 000008
【図７】
2004187814.tif 000009
【図８】
2004187814.tif 000010
【図９】
2004187814.tif 000011
【図１０】
2004187814.tif 000012
【図１１】
2004187814.tif 000013
【図１２】
2004187814.tif 000014
【図１３】
2004187814.tif 000015
【図１４】
2004187814.tif 000016